(57)【要約】      （修正有）【課題】反射式の道路標識板の表面に貼付された反射シートを上記道路標識板から削り取る反射式標識板の反射シート剥離用研磨器を提供する。【解決手段】基板本体１とこの基板本体１に貼付された反射シート２とよりなる反射式標識板と、該反射式標識板の反射シート２を研磨して、上記反射式標識板から上記反射シート２を削り取る研磨器３とよりなり、上記研磨器３に集塵装置を設けた。【選択図】図１
0003197693.tif 000002
【実用新案登録請求の範囲】
【請求項１】
基板本体とこの基板本体に貼付された反射シートとよりなる反射式標識板の反射シートを研磨して、上記反射式標識板から上記反射シートを削り取ることを特徴とする反射式標識板の反射シート剥離用研磨器。
【請求項２】
上記研磨器に集塵装置を設けたことを特徴とする請求項１記載の反射式標識板の反射シート剥離用研磨器。
【請求項３】
上記反射シートは、透明プラスチックフィルムと、ガラスビーズ状の球状レンズを含んだ膠着剤層と、反射膜と、接着剤層と、ライナーとを積層してなることを特徴とする請求項１または２記載の反射式標識板の反射シート剥離用研磨器。
【請求項４】
上記研磨器は、塗装剥離用の研磨器であることを特徴とする請求項１、２または３記載の反射式標識板の反射シート剥離用研磨器。
【請求項５】
上記研磨器は、下地処理用の金属表面処理用の研磨器であることを特徴とする請求項１、２または３記載の反射式標識板の反射シート剥離用研磨器。
【考案の詳細な説明】
【技術分野】
【０００１】
本考案は反射式標識板の反射シート剥離用研磨器、特に反射式の道路標識板の表面に貼付された反射シートを上記道路標識板から削り取る反射式標識板の反射シート剥離用研磨器に関するものである。
【背景技術】
【０００２】
反射式標識板は、例えば、厚さ２ｍｍのアルミニウム合金基板本体と、この表面全面に貼付された、標識が印刷等される反射シートとよりなり、この反射シートは、例えば、透明プラスチックフィルムと、ガラスビーズ状の球状レンズを含んだ膠着剤層（スペーサー）と、反射膜と、接着剤層と、ライナーとを積層してなる。
【０００３】
上記アルミニウム合金基板本体と反射シートとは、使用時に剥がれないように高性能の接着剤によって接着されている。そのため、撤去した反射式標識板を再利用しようとしても、アルミニウム合金基板本体の表面を傷つけることなく反射シートを剥がすことが難しく、そのため、反射シートのみを薬品で溶かしたり、ウォータジェットを用いて削り取っていた。
【考案の概要】
【考案が解決しようとする課題】
【０００４】
しかしながら、反射シートを薬品で溶かす方法は、溶かした溶剤の処理費用が高く、また、ウォータジェットで削り取る方法は、装置が大掛かりとなるため、どこでも使用出来るというものではなかった。
【０００５】
本考案は上記の欠点の欠点を除くようにしたものである。
【課題を解決するための手段】
【０００６】
本考案の反射式標識板の反射シート剥離用研磨器は、基板本体とこの基板本体に貼付された反射シートとよりなる反射式標識板の反射シートを研磨して、上記反射式標識板から上記反射シートを削り取ることを特徴とする。
【０００７】
また、上記研磨器に集塵装置を設けたことを特徴とする。
【０００８】
また、上記反射シートは、透明プラスチックフィルムと、ガラスビーズ状の球状レンズを含んだ膠着剤層と、反射膜と、接着剤層と、ライナーとを積層してなることを特徴とする。
【０００９】
また、上記研磨器は、塗装剥離用の研磨器であることを特徴とする。
【００１０】
また、上記研磨器は、下地処理用の金属表面処理用の研磨器であることを特徴とする。
【考案の効果】
【００１１】
本考案の反射式標識板の反射シート剥離用研磨器によれば、基板本体の板厚を変えることなく、反射シートのみを剥離することができる。また、基板本体の表面を滑らかに仕上げることができるので、再利用の時に、アルミニウム合金基板本体に新しい反射シートを密着性良く貼付することができる。
【００１２】
また、集塵装置を設けたので、粉塵も少ない。
【００１３】
また、薬品を用いず、大掛かりな装置を用いないので、経済性が高い。
【図面の簡単な説明】
【００１４】
【図１】本考案の反射式標識板の反射シート剥離用研磨器の説明図である。
【考案を実施するための形態】
【００１５】
以下図面によって本考案の実施例を説明する。
【実施例１】
【００１６】
本考案の反射式標識板の反射シート剥離用研磨器を用いた剥離方法は、図１に示すように、例えば、厚さ２ｍｍのアルミニウム合金基板本体１の表面全面に貼付された反射シート２を集塵装置付き研磨器３により研磨して、上記アルミニウム基板本体１から反射シート２を削り取る。
【００１７】
なお、４は上記反射シートに印刷された標識の文字部分を示し、５は上記反射シート２の一部が削り取られて、アルミニウム合金基板本体の表面が見えている基板露出部分を示す。
【００１８】
上記研磨器３は、金属を削り取らず、反射シート２のみ削り取る、例えば、塗装剥離用や下地処理用等の金属表面処理用の研磨器であり、例えば、ダブルアクションサンダーやストロークサンダーなどのサンダーがある。
【００１９】
本考案の反射式標識板の反射シート剥離用研磨器によれば、アルミニウム合金基板本体の板厚を変えることなく、反射シートのみを剥離することができる。また、アルミニウム合金基板本体の表面を滑らかに仕上げることができるので、再利用の時に、アルミニウム合金基板本体に新しい反射シートを密着性良く貼付することができる。
【００２０】
また、集塵装置を設けたので、粉塵も少ない。
【００２１】
また、薬品を用いず、大掛かりな装置を用いないので、経済性が高い。
【００２２】
なお、基板本体はアルミニウム合金以外の合金や、合成樹脂であってもよい。
【００２３】
また、基板本体の材質や反射シートの材質に応じて、研磨器の研磨材、研磨布紙、回転数等を変更すれば、あらゆる反射式標識板から反射シートのみを容易に剥離することができるようになる。
【符号の説明】
【００２４】
１  基板本体
２  反射シート
３  研磨器
４  文字部分
５  基板露出部分
【図１】
0003197693.tif 000003
【手続補正書】
【提出日】平成27年3月26日(2015.3.26)
【手続補正１】
【補正対象書類名】実用新案登録請求の範囲
【補正対象項目名】全文
【補正方法】変更
【補正の内容】
【実用新案登録請求の範囲】
【請求項１】
基板本体とこの基板本体に貼付された反射シートとよりなる反射式標識板と、
該反射式標識板の反射シートを研磨して、上記反射式標識板から上記反射シートを削り取る研磨器とよりなることを特徴とする反射式標識板用の反射シート剥離用研磨器。
【請求項２】
上記研磨器に集塵装置を設けたことを特徴とする請求項１記載の反射式標識板用の反射シート剥離用研磨器。
【請求項３】
上記反射シートは、透明プラスチックフィルムと、ガラスビーズ状の球状レンズを含んだ膠着剤層と、反射膜と、接着剤層と、ライナーとを積層してなることを特徴とする請求項１または２記載の反射式標識板用の反射シート剥離用研磨器。
【請求項４】
上記研磨器は、塗装剥離用の研磨器であることを特徴とする請求項１、２または３記載の反射式標識板用の反射シート剥離用研磨器。
【請求項５】
上記研磨器は、下地処理用の金属表面処理用の研磨器であることを特徴とする請求項１、２または３記載の反射式標識板用の反射シート剥離用研磨器。
【手続補正３】
【補正対象書類名】明細書
【補正対象項目名】０００１
【補正方法】変更
【補正の内容】
【０００１】
本考案は反射式標識板用の反射シート剥離用研磨器、特に反射式の道路標識板の表面に貼付された反射シートを上記道路標識板から削り取る反射式標識板用の反射シート剥離用研磨器に関するものである。
【手続補正４】
【補正対象書類名】明細書
【補正対象項目名】０００６
【補正方法】変更
【補正の内容】
【０００６】
本考案の反射式標識板用の反射シート剥離用研磨器は、基板本体とこの基板本体に貼付された反射シートとよりなる反射式標識板と、該反射式標識板の反射シートを研磨して、上記反射式標識板から上記反射シートを削り取る研磨器とよりなることを特徴とする。
【手続補正５】
【補正対象書類名】明細書
【補正対象項目名】００１１
【補正方法】変更
【補正の内容】
【００１１】
本考案の反射式標識板用の反射シート剥離用研磨器によれば、基板本体の板厚を変えることなく、反射シートのみを剥離することができる。また、基板本体の表面を滑らかに仕上げることができるので、再利用の時に、アルミニウム合金基板本体に新しい反射シートを密着性良く貼付することができる。
【手続補正６】
【補正対象書類名】明細書
【補正対象項目名】００１４
【補正方法】変更
【補正の内容】
【００１４】
【図１】本考案の反射式標識板用の反射シート剥離用研磨器の説明図である。
【手続補正７】
【補正対象書類名】明細書
【補正対象項目名】００１６
【補正方法】変更
【補正の内容】
【００１６】
本考案の反射式標識板用の反射シート剥離用研磨器を用いた剥離方法は、図１に示すように、例えば、厚さ２ｍｍのアルミニウム合金基板本体１の表面全面に貼付された反射シート２を集塵装置付き研磨器３により研磨して、上記アルミニウム基板本体１から反射シート２を削り取る。
【手続補正８】
【補正対象書類名】明細書
【補正対象項目名】００１９
【補正方法】変更
【補正の内容】
【００１９】
本考案の反射式標識板用の反射シート剥離用研磨器によれば、アルミニウム合金基板本体の板厚を変えることなく、反射シートのみを剥離することができる。また、アルミニウム合金基板本体の表面を滑らかに仕上げることができるので、再利用の時に、アルミニウム合金基板本体に新しい反射シートを密着性良く貼付することができる。